(57)【要約】【課題】ノイズの影響を抑制して高画質化を図る。【解決手段】  複数の走査線及び複数のデータ線の各交点に対応してスイッチング素子が設けられ、前記データ線に供給される画像信号に基づいて前記スイッチング素子を駆動して画像表示を行う表示部１００に対して、複数の前記スイッチング素子を所定のブロック毎に駆動する相展開による駆動制御を行う駆動手段１３０，１４０，１５０と、前記データ線に供給する画像信号を伝送するための信号配線１１ａと、相展開の１データ系列を伝送する前記信号配線毎に、前記信号配線に沿って形成されるシールド線１６とを具備したことを特徴とする。【選択図】      図１
2006003878.tif 000002
【特許請求の範囲】
【請求項１】
複数の走査線及び複数のデータ線の各交点に対応してスイッチング素子が設けられ、前記データ線に供給される画像信号に基づいて前記スイッチング素子を駆動して画像表示を行う表示部に対して、複数の前記スイッチング素子を所定のブロック毎に駆動する相展開による駆動制御を行う駆動手段と、
前記データ線に供給する画像信号を伝送するための信号配線と、
相展開の１データ系列を伝送する前記信号配線毎に、前記信号配線に沿って形成されるシールド線とを具備したことを特徴とする電気光学装置。
【請求項２】
前記相展開の１データ系列を伝送する前記信号配線は、１画素を構成する複数のサブピクセルの画像信号を伝送する信号配線であることを特徴とする請求項１に記載の電気光学装置。
【請求項３】
前記シールド線は、２つのデータ系列を構成する前記サブピクセルの画像信号のうち緑の画像信号同士の間に設けられることを特徴とする請求項１に記載の電気光学装置。
【請求項４】
複数の走査線及び複数のデータ線の各交点に対応してスイッチング素子が設けられ、前記データ線に供給される画像信号に基づいて前記スイッチング素子を駆動して画像表示を行う表示部に対して、複数の前記スイッチング素子を所定のブロック毎に駆動する相展開による駆動制御を行う駆動手段と、
前記データ線に供給する画像信号を伝送するための信号配線及び複数の前記信号配線相互間に形成されるシールド線を有する本線部と、
前記本線部を横切って前記信号配線に接続される信号用中継配線と、
前記信号用中継配線と前記データ線との間に接続される信号用引き出し配線と、
前記本線部の最外部のシールド線から分岐し前記信号用引き出し配線相互間に配線されるシールド用引き出し配線とを具備したことを特徴とする電気光学装置。
【請求項５】
前記信号配線、シールド線、信号用引き出し配線及びシールド用引き出し配線は、第１の層に形成され、
前記信号用中継配線は、前記第１の層とは異なる第２の層に形成されることを特徴とする請求項４に記載の電気光学装置。
【請求項６】
前記本線部を横切って前記シールド線に接続されて、前記信号用中継配線相互間に配線されるシールド用中継配線を更に具備したことを特徴とする請求項４に記載の電気光学装置。
【請求項７】
前記信号配線、シールド線、信号用引き出し配線及びシールド用引き出し配線は、第１の層に形成され、
前記信号用中継配線及び前記シールド用中継配線は、前記第１の層とは異なる第２の層に形成されることを特徴とする請求項６に記載の電気光学装置。
【請求項８】
請求項１乃至７の電気光学装置を表示手段として用いたことを特徴とする電子機器。
【発明の詳細な説明】
【技術分野】
【０００１】
本発明は、高精細の画像表示を行うものに好適な電気光学装置及び電子機器に関する。
【背景技術】
【０００２】
一般に電気光学装置、例えば、電気光学物質に液晶を用いて所定の表示を行う液晶装置は、一対の基板間に液晶が挟持された構成となっている。このうち、ＴＦＴ駆動、ＴＦＤ駆動等によるアクティブマトリクス駆動方式の液晶装置等の電気光学装置においては、縦横に夫々配列された多数の走査線及びデータ線並びにこれらの各交点に対応して多数の画素電極などがＴＦＴアレイ基板等上に設けられている。
【０００３】
各走査線には、走査線駆動回路から走査信号が順次供給されるようになっている。一方、データ線には、データ線駆動回路により駆動されたサンプリング回路によって画像信号が供給される。即ち、データ線駆動回路は、画像信号線上の画像信号をデータ線毎にサンプリングするサンプリング回路に対して、走査信号の順次供給動作と平行して、サンプリング回路駆動信号を供給するように構成されている。
【０００４】
データ線駆動回路は、一般には、複数のラッチ回路（シフトレジスタ回路）を備え、水平走査期間の最初に供給される転送信号をクロック信号に応じて順次シフトして、これをサンプリング信号として出力するものである。同様に、走査線駆動回路は、複数のラッチ回路を備え、垂直走査期間の最初に供給される転送信号をクロック信号に応じて順次シフトして、これを走査信号として出力するものである。また、サンプリング回路は、各データ線毎に設けられるサンプリング用のスイッチを備え、外部から供給される画像信号を、データ線駆動回路によるサンプリング信号にしたがいサンプリングして、各データ線に供給するものである。
【０００５】
ところで、近年、表示画像の品位の向上という一般的要請に沿うべく画素ピッチの微細化が進められ、駆動周波数も高められてきている。
【０００６】
ところが、上述したように、シフトレジスタ回路から順次出力される転送信号を単純にサンプリング信号として用いる方式のままで駆動周波数を高めると、各サンプリング回路に対して割り当てられるサンプリング時間が短くなる。このため、各サンプリング回路におけるサンプリング能力が不足する結果を招く。これに対し、サンプリング回路を構成するＴＦＴ（Thin FilmTransistor）等のトランジスタ特性自体を高めたり、その各種配線の抵抗や時定数などの配線特性自体を高めるのでは、生産コストの上昇や歩留まりの低下を招いてしまう。
【０００７】
そこで、最近では、ドットクロックの高周波数化に対処すべく、１系統の画像信号を複数のｍ系統にシリアル−パラレル変換（相展開）すると共に、これらｍ系統の画像信号をサンプリング信号にしたがって同時にサンプリングして、ｍ本のデータ線に供給する技術が開発されている。なお、相展開については、特許文献１等に開示されている。
【特許文献１】特開２００４−４６２０１号公報
【発明の開示】
【発明が解決しようとする課題】
【０００８】
ところで、近年、画像の高精細化、画素ピッチの微細化も促進されてきており、表示パネル上に多数の走査線及びデータ線を狭ピッチで配線し、これらを高周波数で駆動することが必要となってきている。
【０００９】
しかも、上述した相展開では、表示パネル内の画像信号線の数を相展開の数だけ増やす必要がある。更に、１画素を例えばＲＧＢの３つのピクセル（以下、夫々サブピクセルという）で構成してカラー画像表示を可能にするものとすると、１画素あたり３本の画像信号線が必要となり、相展開数×３の画像信号線を引き回す必要がある。
【００１０】
このように、相展開を行うために基板上に引き回す画像信号線が増大し、また画像信号の上又は下を交差させる必要のあるサンプリング回路駆動信号線の配線等も複雑化する。
【００１１】
このため、隣接信号線の影響によるノイズを無視することができなくなってきたという問題がある。
【００１２】
本発明はかかる問題点に鑑みてなされたものであって、相展開の系列毎にシールド線を配線することによって、ノイズの影響を抑制し、高品位の画像表示を可能にすることができる電気光学装置及び電子機器を提供することを目的とする。
【課題を解決するための手段】
【００１３】
本発明に係る電気光学装置は、複数の走査線及び複数のデータ線の各交点に対応してスイッチング素子が設けられ、前記データ線に供給される画像信号に基づいて前記スイッチング素子を駆動して画像表示を行う表示部に対して、複数の前記スイッチング素子を所定のブロック毎に駆動する相展開による駆動制御を行う駆動手段と、前記データ線に供給する画像信号を伝送するための信号配線と、相展開の１データ系列を伝送する前記信号配線毎に、前記信号配線に沿って形成されるシールド線とを具備したことを特徴とする。
【００１４】
このような構成によれば、駆動手段は、複数の走査線及び複数のデータ線の各交点に対応して設けられたスイッチング素子を、所定のブロック毎に相展開による駆動制御により駆動する。信号配線にはデータ線に供給するための画像信号が伝送される。相展開の１データ系列を伝送する信号配線毎に、信号配線に沿ってシールド線が形成される。異なるデータ系列の画像信号を伝送する信号配線同士の間にはシールド線が設けられており、異なるデータ系列の画像信号によるノイズの影響を、比較的少ないシールド線数で効果的に回避することができ、微細化と高画質化とを同時に満足することができる。
【００１５】
また、前記相展開の１データ系列を伝送する前記信号配線は、１画素を構成する複数のサブピクセルの画像信号を伝送する信号配線であることを特徴とする。
【００１６】
このような構成によれば、各画素は複数のサブピクセルの画像信号に基づいて駆動される。これらのサブピクセルの画像信号を伝送する信号配線毎にシールド線が設けられており、各画素が他の画素のノイズの影響によって劣化することを防止することができる。
【００１７】
また、前記シールド線は、２つのデータ系列を構成する前記サブピクセルの画像信号のうち緑の画像信号同士の間に設けられることを特徴とする。
【００１８】
このような構成によれば、異なるデータ系列の２つの緑の画像信号を伝送する信号配線相互間にはシールド線が設けられるので、ノイズ源となりやすい緑の画像信号による悪影響を回避して、高画質化を図ることができる。
【００１９】
本発明に係る電気光学装置は、複数の走査線及び複数のデータ線の各交点に対応してスイッチング素子が設けられ、前記データ線に供給される画像信号に基づいて前記スイッチング素子を駆動して画像表示を行う表示部に対して、複数の前記スイッチング素子を所定のブロック毎に駆動する相展開による駆動制御を行う駆動手段と、前記データ線に供給する画像信号を伝送するための信号配線及び複数の前記信号配線相互間に形成されるシールド線を有する本線部と、前記本線部を横切って前記信号配線に接続される信号用中継配線と、前記信号用中継配線と前記データ線との間に接続される信号用引き出し配線と、前記本線部の最外部のシールド線から分岐し前記信号用引き出し配線相互間に配線されるシールド用引き出し配線とを具備したことを特徴とする。
【００２０】
このような構成によれば、駆動手段は、相展開による駆動制御によって表示部を駆動する。本線部は、データ線に供給する画像信号を伝送するための信号配線と複数の信号配線相互間に形成されるシールド線とを有する。シールド線によって、異なる信号配線によるノイズの影響が回避される。信号配線は、信号用中継配線及び信号用引き出し配線を介してデータ線に接続される。信号用引き出し配線相互間においては、本線部の最外部のシールド線から分岐したシールド用引き出し配線が設けられ、信号用引き出し配線を伝送される画像信号によるノイズの影響が回避される。
【００２１】
また、前記信号配線、シールド線、信号用引き出し配線及びシールド用引き出し配線は、第１の層に形成され、前記信号用中継配線は、前記第１の層とは異なる第２の層に形成されることを特徴とする。
【００２２】
このような構成によれば、本線部を横切って信号用中継配線を形成することを可能にする。
【００２３】
また、前記本線部を横切って前記シールド線に接続されて、前記信号用中継配線相互間に配線されるシールド用中継配線を更に具備したことを特徴とする。
【００２４】
このような構成によれば、信号用中継配線相互間のノイズの影響を回避することができ、一層高画質化を図ることができる。
【００２５】
また、前記信号配線、シールド線、信号用引き出し配線及びシールド用引き出し配線は、第１の層に形成され、前記信号用中継配線及び前記シールド用中継配線は、前記第１の層とは異なる第２の層に形成されることを特徴とする。
【００２６】
このような構成によれば、本線部を横切って信号用中継配線及びシールド用中継配線を形成することを可能にする。
【００２７】
本発明に係る電子機器は、上記電気光学装置を表示手段として用いたことを特徴とする。
【００２８】
このような構成によれば、ノイズの悪影響を効果的に抑制した電気光学装置を表示手段として用いているので、小型化及び高画質化を図ることができる。
【発明を実施するための最良の形態】
【００２９】
以下、本発明の実施の形態について図面を参照して詳細に説明する。図１は本発明の第１の実施の形態に係る電気光学装置に採用される配線レイアウトを示す説明図である。図２は本実施の形態の電気光学装置の構成を示すブロック図である。本実施の形態は電気光学装置として液晶を用いた液晶装置を例に示している。また、図３は図２中の液晶パネル１００の構成を示す斜視図であり、図４は図３のＡ−Ａ’線の断面図である。
【００３０】
先ず、図２乃至図４を参照して電気光学装置の構成について説明する。
【００３１】
図２に示すように、液晶装置は、表示部としての液晶パネル１００と、タイミングジェネレータ２００と、画像信号処理回路３００とを備える。タイミングジェネレータ２００は、各部で使用されるタイミング信号や制御信号などを出力するものである。また、画像信号処理回路３００内部におけるＳ／Ｐ変換回路３０２は、１系統の画像信号Ｖｉｄｅｏを入力すると、相展開による書き込みを行うために、６系列の画像信号にシリアル−パラレル変換して出力する。ここで、画像信号を６系列にシリアル−パラレル変換する理由は、サンプリング回路１５０において、サンプリング用のスイッチ１５１を構成するＴＦＴのソース領域への画像信号の印加時間を長くして、サンプリング時間及び充放電時間を十分に確保するためである。
【００３２】
増幅・反転回路３０４は、シリアル−パラレル変換された画像信号のうち、反転が必要となるものを反転させ、この後、適宜、増幅して画像信号として液晶パネル１００に対し並列的に供給するものである。なお、反転するか否かについては、一般には、データ信号の印加方式が走査線１１２単位の極性反転であるか、データ線１１４単位の極性反転であるか、画素単位の極性反転であるかに応じて定められ、その反転周期は、１水平走査期間またはドットクロック周期に設定される。
【００３３】
なお、極性反転とは、画像信号の振幅中心電位を基準として正極性と負極性に交互に電圧レベルを反転させることをいう。また、６系列の画像信号ＶＩＤ１〜ＶＩＤ６を液晶パネル１００に供給するタイミングは、図２に示す液晶装置では同時とするが、ドットクロックに同期して順次ずらしてもよく、この場合は後述するサンプリング回路にて６系列の画像信号を順次サンプリングする構成となる。
【００３４】
図２は、表示パネル１００の駆動に６相展開を採用した例を示している。この場合には、サンプリング回路１５０は、６画素（ピクセル）分のデータ線１１４を１群（ブロック）とし、これらの群に属するデータ線１１４に対し、サンプリング信号にしたがって、画像信号を夫々サンプリングして供給する。詳細には、サンプリング回路１５０は、各データ線１１４毎に設けられるスイッチ１５１からなり、各スイッチ１５１は、データ線１１４の一端と、画像信号のいずれかが供給される信号線との間に介挿されると共に、そのゲートにサンプリング信号が供給される構成となっている。
【００３５】
液晶パネル１００は、カラー表示を可能にするために、各画素（ピクセル）は３原色信号（Ｒ，Ｇ，Ｂ信号）で相互に独立に制御可能な３つのサブピクセル（Ｒ，Ｇ，Ｂサブピクセル）によって構成される。この場合には、画像信号処理回路３００からの６系列の画像信号ＶＩＤ１〜ＶＩＤ６は、夫々Ｒ，Ｇ，Ｂサブピクセルの画像を含むものとする。
【００３６】
なお、各系列の画像信号ＶＩＤ１〜ＶＩＤ６について、サブピクセルの信号を区別する場合には、６系列×ＲＧＢ３サブピクセル分の１８種類の画像信号を画像信号ＶＩＤ１−Ｒ，ＶＩＤ１−Ｇ，ＶＩＤ１−Ｂ、ＶＩＤ２−Ｒ，…，ＶＩＤ６−Ｒ，ＶＩＤ６−Ｇ，ＶＩＤ６−Ｂと表記するものとする。画像信号処理回路３００からは、１８種類の画像信号を同時に転送する信号配線を含む配線部１０を介して、画像信号がサンプリング回路１５０に供給されるようになっている。
【００３７】
駆動手段としての駆動回路１２０は、少なくとも走査線駆動回路１３０、データ線駆動回路１４０及びサンプリング回路１５０からなる。駆動回路１２０の構成素子は、画素を駆動するＴＦＴ１１６と共通の製造プロセスで形成されるＰチャネル型ＴＦＴ及びＮチャネル型ＴＦＴを組み合わせて構成されるため、製造効率の向上や、製造コストの低下、素子特性の均一化などが図られている。
【００３８】
データ線駆動回路１４０は、水平走査期間の最初に供給される転送開始パルスＤＸ−Ｒ又はＤＸ−Ｌを、クロック信号ＣＬＸ及びその反転クロック信号ＣＬＸinvにしたがって順次シフトすることによって、サンプリング信号を所定の順番で出力するものである。データ線駆動回路１４０に供給されるクロック信号ＣＬＸ、その反転クロック信号ＣＬＸinv、転送開始パルスＤＸ−Ｒ（ＤＸ−Ｌ）及びイネーブル信号（パルス幅制限信号）ＥＮＢ１、ＥＮＢ２は、いずれもタイミングジェネレータ２００によって、画像信号ＶＩＤ１〜ＶＩＤ６と同期して供給されるものである。
【００３９】
走査線駆動回路１３０は、出力信号の引き出し方向と、入力される信号とが異なる以外、基本的にデータ線駆動回路１４０の構成と同様である。すなわち、走査線駆動回路１３０は、データ線駆動回路１４０を９０度左回転して配置したものであり、図２に示すように、パルスＤＸ−Ｒ（ＤＸ−Ｌ）及び転送制御信号Ｒ（Ｌ）の代わりに、パルスＤＹ−Ｄ（ＤＹ−Ｕ）及び転送制御信号Ｄ（Ｕ）を入力すると共に、クロック信号ＣＬＸ及びその反転クロック信号ＣＬＸinvの代わりに、水平走査期間毎に、クロック信号ＣＬＹ及びその反転クロック信号ＣＬＹinvを入力する構成となっている。
【００４０】
なお、垂直走査方向が下方向である場合には、垂直走査期間の最初にパルスＤＹ−Ｄが供給されると共に、転送制御信号Ｄがアクティブとなる一方、垂直走査方向が上方向である場合には、垂直走査期間の最初にパルスＤＹ−Ｕが供給されると共に、転送制御信号Ｕがアクティブとなる。また、クロック信号ＣＬＹと、その反転信号ＣＬＹinvと、パルスＤＹ−Ｕ（又はＤＹ−Ｄ）とは、図２におけるタイミングジェネレータ２００によって、画像信号ＶＩＤ１〜ＶＩＤ６と同期して供給されるものであり、さらに、これらの信号と、転送制御信号Ｒ（Ｌ）とは、いずれも、図示しないレベルシフタによって高論理振幅の信号に変換されたものである。
【００４１】
図３は図２中の液晶パネル１００の構成を示す斜視図であり、図４は図３のＡ−Ａ’線の断面図である。
【００４２】
液晶パネル１００は、各種素子や画素電極１１８等が形成された素子基板１０１と、対向電極１０８等が設けられた対向基板１０２とが、スペーサ（図示省略）を含むシール材１０４によって一定の間隙を保って、互いに電極形成面が対向するように貼り合わせられると共に、この間隙に電気光学物質として例えばＴＮ（Twisted Nematic）型の液晶１０５が封入された構成となっている。
【００４３】
素子基板１０１には、ガラスや、半導体、石英などが用いられるが、対向基板１０２には、ガラスなどが用いられる。なお、素子基板１０１に不透明な基板が用いられる場合には、透過型ではなく反射型として用いられることとなる。また、シール材１０４は、対向基板１０２の周辺に沿って形成されるが、液晶１０５を封入するために一部が開口している。このため、液晶１０５の封入後に、その開口部分が封止材１０６によって封止されている。
【００４４】
次に、素子基板１０１の対向面であって、シール材１０４の外側一辺の領域１４０においては、データ線駆動回路が形成されて、サンプリング信号を出力する構成となっている。さらに、この一辺においてシール材１０４が形成される近傍の領域１５０には、画像信号線やサンプリング回路などを形成してもよい。一方、この一辺の外周部分には、複数の実装端子１０７が形成されて、外部回路（例えば図２の画像信号処理回路３００）から各種信号を入力する構成となっている。
【００４５】
また、この一辺に隣接する２辺の領域には、夫々走査線駆動回路１３０が形成されて、走査線を両側から駆動する構成となっている。なお、走査線に供給される走査信号の遅延が問題にならないのであれば、走査線駆動回路１３０を片側１個だけに形成する構成でもよい。
【００４６】
一方、対向基板１０２に設けられる対向電極１０８は、素子基板１０１との貼合部分における４隅のうち少なくとも一ヶ所において導通材により、素子基板１０１と電気的に接続される構成となっている。ほかに、対向基板１０２には、特に図示はしないが、画素電極１１８と対向する領域に、着色層（カラーフィルタ）が設けられる。着色層（カラーフィルタ）は素子基板１０１側に設けても良いことは言うまでもない。
【００４７】
素子基板１０１及び対向基板１０２の対向面には、ラビング処理された配向膜（図４では省略）が設けられる。また、素子基板１０１及び対向基板１０２の各背面側には配向膜の配向方向に応じた偏光子（図示省略）が夫々設けられる。なお、図４においては、対向電極１０８や、画素電極１１８、実装端子１０７等には厚みを持たせているが、これは、形成位置を示すための便宜的な措置であり、実際には、基板に対して充分に無視できるほど薄い。
【００４８】
液晶パネル１００は、素子基板にあっては、図２に示すように、Ｘ方向に沿って平行に複数本の走査線１１２が配列して形成され、また、これと直交するＹ方向に沿って平行に複数本のデータ線１１４が形成されている。そして、これらの走査線１１２とデータ線１１４との各交点においては、各画素を制御するためのスイッチたるＴＦＴ１１６のゲート電極が走査線１１２に接続される一方、ＴＦＴ１１６のソース電極がデータ線１１４に接続されると共に、ＴＦＴ１１６のドレイン電極が画素電極１１８に接続されている。そして、各画素は、画素電極１１８と、対向基板に形成された共通電極と、これら両電極間に挟持された液晶とによって構成される結果、走査線１１２とデータ線１１４との各交点に対応して、マトリクス状に配列されることとなる。なお、このほかに、蓄積容量（図示省略）が、各画素毎に、電気的にみて、画素電極１１８と共通電極とに挟持された液晶に対して並列に形成される構成としても良い。
【００４９】
図１は実装端子１０７からデータ線駆動回路１４０及びサンプリング回路１５０までの配線レイアウトを示している。
【００５０】
実装端子１０７に入力される６系列の画像信号ＶＩＤ１〜６は、夫々ＲＧＢの３サブピクセルの画像信号を含む。図１に示すように、実装端子１０７には、電源電圧ＶＤＤＸ、イネーブル信号ＥＮＢ１〜４、クロックＣＬＸ及びその反転信号ＣＬＸINV等が入力されており、これらの信号はデータ線駆動回路１４０に供給されている。また、実装端子１０７には、画像信号ＶＩＤ１−Ｒ，ＶＩＤ１−Ｇ，ＶＩＤ１−Ｂ，ＶＩＤ２−Ｒ，…，ＶＩＤ６−Ｇ，ＶＩＤ６−Ｂが入力される。更に、本実施の形態においては、各系列の３つのサブピクセルの画像信号が入力される実装端子相互間の実装端子には、電源電圧ＶＳＳＸが供給されるようになっている。ＶＳＳＸは、データ線駆動回路１４０の低電位レベルの電源電圧（基準電圧）である。
【００５１】
実装端子１０７は、図３及び図４に示すように、パネルの端辺に整列して配置されている。この実装端子１０７には配線部１０の各配線が夫々接続される。配線部１０の各配線は、実装端子１０７が配置されたパネルの端辺に直交してデータ線駆動回路１４０側に延び、データ線駆動回路１４０の長手方向（走査線１１２方向）に屈曲し、データ線駆動回路１４０の長辺に沿って配線される。これらの信号線の束によって、本線部１１が構成される。
【００５２】
本線部１１の各配線（以下、本線という）１１ａは、データ線駆動回路１４０の角部で屈曲し短辺に沿って配線され、更に、データ線駆動回路１４０とサンプリング回路１５０との間の領域に向けて屈曲して、これらの回路相互間において長辺にそって配線される。
【００５３】
１データ系列を構成する３つのサブピクセルの画像信号は相互に隣接した３つの配線（信号配線）によって伝送される。本実施の形態においては、３つのサブピクセルの画像信号からなる１データ系列の画像信号を伝送する３つの配線毎に、電源電圧ＶＳＳＸが印加されている配線がシールド線１６として配置されている。シールド線１６は本線部１１の最外部にも配線され、終端は連結されて終端部１９を構成する。
【００５４】
なお、各配線に対するデータの印加方法は、駆動方法に応じて変化させてもよい。
【００５５】
画像信号を伝送する本線部１１の各本線１１ａには、サンプリング回路１５０に向けて各中継配線１２が接続されている。信号用中継配線である各中継配線１２は、夫々対応する信号用引き出し配線である引き出し配線１３ｓを介してサンプリング回路１５０の対応するスイッチ１５１に接続される。なお、図１ではサンプリング回路１５０の各要素は図示しておらず、サンプリングタイミングを決定するスイッチ１５１のみを示してある。
【００５６】
図１では、液晶パネル１００の水平方向の画素数として、６×ｎ画素（＝１８×ｎサブピクセル）の例を示している。即ち、画像信号ＶＩＤ１−Ｒ，ＶＩＤ１−Ｇ，ＶＩＤ１−Ｂ，ＶＩＤ２−Ｒ，…，ＶＩＤ６−Ｇ，ＶＩＤ６−Ｂを伝送する本線部１１の１８本の本線１１ａは、夫々、各ブロックで１８本の中継配線１２に接続されており、更に、各中継配線１２は各ブロックで１８本の引き出し配線１３ｓに接続される。引き出し配線１３ｓは各ブロックで１８個のスイッチ１５１に接続される。
【００５７】
本実施の形態においては、本線部１１において、ブロックの各データ系列毎にシールド線１６を配線するだけでなく、各データ系列に対応する３本の引き出し配線１３ｓ毎に、夫々シールド用引き出し配線である引き出し配線１３ｎ（シールド線１３ｎともいう）を配線するようになっている。即ち、本線部１１のサンプリングホールド回路１５０側の最外部に配線されたシールド線１６は、各データ系列の境界部分において、データ線１１４方向に分岐し、１データ系列を伝送する３本の引き出し配線１３ｓ毎に、この引き出し配線１３ｓに沿ってサンプリングホールド回路１５０までの間（引き出し配線部）に延設されて、シールド線１３ｎを構成する。
【００５８】
データ線駆動回路１４０は、各ブロック毎に共通のサンプリング信号Ｑ１，Ｑ２，…，Ｑｎを夫々ブロック内のスイッチ１５１に出力する。本実施の形態においては、サンプリング信号Ｑ１，Ｑ２，…，Ｑｎを伝送する配線についても、引き出し配線部においてシールド線１３ｎで他の信号線と区画するようになっている。
【００５９】
なお、サンプリング回路１５０は各データ線に接続されたスイッチ１５１がサンプリング信号によってオンとなり、引き出し配線１３ｓを介して伝送された画像信号を対応するデータを介してサブピクセル１１９に書き込みを行うようになっている。
【００６０】
図５は本線、中継配線及び引き出し配線のレイアウトを説明するための平面図である。
図１乃至図４に示す電気光学装置は半導体装置によって構成することができ、図６は図５のＢ−Ｂ’線において、配線を構成する半導体装置を切断して示したものである。
【００６１】
図５及び図６に示すように、本線部１１の各本線１１ａは、コンタクト１４を介して中継配線１２に接続されている。即ち、基板２１上には絶縁膜２２が形成されており、この絶縁膜２２上に本線部１１のシールド線１６を含む各本線１１ａ及び引き出し配線１３ｓ，１３ｎがパターン形成されている。図６では各本線１１ａに印加される信号についても示してある。本線部１１が形成された層上には層間絶縁膜２３を介して中継配線１２を含む層が形成されている。各中継配線１２は、夫々対応するコンタクト１４を介して下層の本線１１ａに接続されており、図５に示すように、本線１１ａに直交する方向に延びている。各中継配線１２は、引き出し配線部に形成されたコンタクト１５を介して下層の対応する引き出し配線１３ｓに接続される。
【００６２】
図６ではサブピクセルの画像信号ＶＩＤ５−Ｂを伝送する本線１１ａがコンタクト１４、中継配線１２及びコンタクト１５を介して、同層に形成された引き出し配線１３ｓに接続されていることを示している。画像信号を伝送する他の本線１１ａについても、図６と同様の構成である。
【００６３】
更に、本実施の形態においては、本線部１１の最外部に配線されたシールド線１６は、１データ系列を伝送する３本の引き出し配線１３ｓ相互間の位置において、サンプルホールド回路１５０側に分岐されて引き出し配線１３ｎを構成する。即ち、引き出し配線１３ｎは、１データ系列の引き出し配線１３ｓ毎に、引き出し配線１３ｓに沿って設けられる。
【００６４】
このように構成された実施の形態においては、本線部１１及びこの本線部１１に直交する方向に延設された引き出し配線部において、相展開の１データ系列毎にシールド線を配線している。これにより、各データ系列の画像信号が他のデータ系列の画像信号の影響によって劣化することを防止することができる。また、全配線間にシールド線を配線すると、ノイズ防止の点からは優れているが、配線数が増大しカラー表示を行う相展開駆動においては得策ではない。本実施の形態は、配線数の増大を抑制しつつ、効果的にノイズ除去を可能にするように、各データ系列毎にシールド線を挿入しており、効果的なノイズ除去が可能である。
【００６５】
特に、本線部からサンプリング回路までの間（引き出し配線部）は、素子基板と対向基板とを貼り合わせるためのシール材を配置する領域であり、比較的長い距離を有することから、引き出し配線部において１データ系列毎に配線されたシールド線は、ノイズ除去の観点から極めて有効である。また、本線部及び引き出し配線部において、シールド線は、画像信号を伝送する配線と同層に形成されており、信号配線との距離が比較的近いので、高いシールド効果を得ることができる。
【００６６】
また、本実施の形態においては、２つのデータ系列に含まれる緑（Ｇ）の画像信号を伝送する２つの配線同士の間にシールド線を配線するようになっている。緑の画像信号は他の画素に与える影響が極めて高いことから、本実施の形態は高いシールド効果を得ることができる。また、緑の画像信号を伝送する配線を他の赤及び青の画像信号を伝送する配線同士の間に設けていることから、緑の画像信号が他のデータ系列の画素に悪影響を与えることを効果的に抑制することができる。
【００６７】
図７乃至図９は本発明の第２の実施の形態に係り、図７は第２の実施の形態に係る電気光学装置に採用される配線レイアウトを示す説明図である。図８は第２の実施の形態における本線、中継配線及び引き出し配線のレイアウトを説明するための平面図である。また、図９は図８のＣ−Ｃ’線において、配線を構成する半導体装置を切断して示したものである。図７乃至図９において夫々図１、図５及び図６と同一の構成要素には同一符号を付して説明を省略する。本実施の形態は中継配線として１データ系列毎にシールド線を設けた点が第１の実施の形態と異なる。
【００６８】
第１の実施の形態においては、画像信号を伝送する本線１１ａと引き出し配線１３ｓとの間のみを中継配線１２によって接続する構成とした。これに対し、本実施の形態においては、図７乃至図９に示すように、本線部１１の最外部以外のシールド線１６と、本線部１１の最外部のシールド線１６とをシールド用中継配線である中継配線１２ｎによって接続するようになっている。
【００６９】
図８及び図９に示すように、本線部１１の画像信号を伝送する本線１１ａは、コンタクト１４を介して中継配線１２ｓに接続されている。中継配線１２ｓはコンタクト１５を介して引き出し配線１３ｓに接続されている。
【００７０】
更に、本実施の形態においては、図８及び図９に示すように、本線部１１の最外部以外のシールド線１６は、コンタクト２５を介して中継配線１２ｎに接続されている。中継配線１２ｎは、１データ系列のサブピクセル画像信号を伝送する中継配線１２ｓ相互を区画するように配線されており、各データ系列相互間でのノイズ除去効果が高い。中継配線１２ｎは、コンタクト２６を介して本線部１１の最外部のシールド線１６に接続される。本線部１１の最外部のシールド線１６が引き出し配線１３ｎに接続される点は第１の実施の形態と同様である。
【００７１】
図９に示すように、絶縁膜２２上に本線部１１のシールド線１６を含む各本線１１ａ及び引き出し配線１３ｓ，１３ｎがパターン形成されている。本実施の形態においては、本線部１１が形成された層上には層間絶縁膜２３を介して中継配線１２ｓだけでなく中継配線１２ｎを含む層も形成されている。画像信号を伝送する中継配線１２ｓの位置においては、図６と同様に、中継配線１２ｓは、夫々対応するコンタクト１４を介して下層の本線１１ａに接続されると共に、引き出し配線部に形成されたコンタクト１５を介して下層の対応する引き出し配線１３ｓに接続される。
【００７２】
一方、本実施の形態においては、電源電圧ＶＳＳＸが印加される中継配線１２ｎの位置においては、中継配線１２ｎは、夫々対応するコンタクト２５を介して下層の本線部１１の最外部以外のシールド線１６に接続されると共に、引き出し配線部に形成されたコンタクト２６を介して本線部１１の最外部のシールド線１６に接続される。
【００７３】
図９では画像信号ＶＩＤ１−Ｂに隣接するシールド線１６がコンタクト２５、中継配線１２ｎ及びコンタクト２６を介して、同層に形成された最外部のシールド線１６に接続され、更に、このシールド線が引き出し配線１３ｎとして、サンプルホールド回路１５０側に延設されていることを示している。
【００７４】
このように構成された実施の形態においては、第１の実施の形態と同様の効果が得られると共に、本線部を含む層上の中継配線を伝送する層においても、１データ系列の３つの画像信号を伝送する中継配線毎にシールド配線を形成しており、ノイズ抑制効果を一層向上させることができる。
【００７５】
なお、上記実施の形態においては電気光学材料としては液晶を採用した例を説明したが、本発明は、エレクトロルミネッセンス素子などを用いて、その電気光学効果により表示を行う表示装置にも適用可能である。すなわち、本発明は、上述した液晶装置と類似の構成を有するすべての電気光学装置に適用可能である。
【００７６】
次に、上述した液晶装置を各種の電子機器に適用される場合について説明する。
【００７７】
図１０において、本実施形態における電子機器の一例たる液晶プロジェクタ１１００は、駆動回路がＴＦＴアレイ基板上に搭載された液晶装置を含む液晶モジュールを３個用意し、それぞれＲＧＢ用のライトパルブ１００Ｒ、１００Ｇ及び１００Ｂとして用いたプロジェクタとして構成されている。液晶プロジェクタ１１００では、メタルハライドランプ等の白色光源のランプユニット１１０２から投射光が発せられると、３枚のミラー１１０６及び２枚のダイクロックミラー１１０８によって、ＲＧＢの三原色に対応する光成分Ｒ、Ｇ及びＢに分けられ、各色に対応するライトバルブ１００Ｒ、１００Ｇ及び１００Ｂにそれぞれ導かれる。この際特に、Ｂ光は、長い光路による光損失を防ぐために、入射レンズ１１２２、リレーレンズ１１２３及び出射レンズ１１２４からなるリレーレンズ系１１２１を介して導かれる。そして、ライトバルブ１００Ｒ、１００Ｇ及び１００Ｂによりそれぞれ変調された三原色に対応する光成分は、ダイクロックプリズム１１１２により再度合成された後、投射レンズ１１１４を介してスクリーン１１２０にカラー画像として投射される。
【００７８】
なお、本発明の電気光学装置は、パッシブマトリクス型の液晶表示パネルだけでなく、アクティブマトリクス型の液晶パネル（例えば、ＴＦＴ（薄膜トランジスタ）やＴＦＤ（薄膜ダイオード）をスイッチング素子として備えた液晶表示パネル）にも同様に適用することが可能である。また、液晶表示パネルだけでなく、エレクトロルミネッセンス装置、有機エレクトロルミネッセンス装置、プラズマディスプレイ装置、電気泳動ディスプレイ装置、電子放出を用いた装置（Field Emission Display 及び Surface-Conduction Electron-Emitter Display 等）、ＤＬＰ（Digital Light Processing 別名ＤＭＤ：Digital Micromirror Device）等の各種の電気光学装置においても本発明を同様に適用することが可能である。
【図面の簡単な説明】
【００７９】
【図１】本発明の第１の実施の形態に係る電気光学装置に採用される配線レイアウトを示す説明図。
【図２】本実施の形態の電気光学装置の構成を示すブロック図。
【図３】図２中の液晶パネル１００の構成を示す斜視図であり。
【図４】図３のＡ−Ａ’線の断面図。
【図５】本線、中継配線及び引き出し配線のレイアウトを説明するための平面図。
【図６】図５のＢ−Ｂ’線において、配線を構成する半導体装置を切断して示す断面図。
【図７】第２の実施の形態に係る電気光学装置に採用される配線レイアウトを示す説明図。
【図８】第２の実施の形態における本線、中継配線及び引き出し配線のレイアウトを説明するための平面図。
【図９】図８のＣ−Ｃ’線において、配線を構成する半導体装置を切断して示す断面図。
【図１０】本実施形態における電子機器の一例たる液晶プロジェクタを示す説明図。
【符号の説明】
【００８０】
１０…配線、１１…本線部、１２…中継配線、１３ｎ，１３ｓ…引き出し配線、１６…シールド線、１０７…実装端子、１４０…データ線駆動回路、１５０…サンプリング回路。  
【図１】
2006003878.tif 000003
【図２】
2006003878.tif 000004
【図３】
2006003878.tif 000005
【図４】
2006003878.tif 000006
【図５】
2006003878.tif 000007
【図６】
2006003878.tif 000008
【図７】
2006003878.tif 000009
【図８】
2006003878.tif 000010
【図９】
2006003878.tif 000011
【図１０】
2006003878.tif 000012